(57)【要約】      （修正有）【課題】光ファイバーによる光の点滅を、ツリー本体の外周部分のみならず、幹から放射状に張り出す各枝部において、その先端から元部までの間で満遍無くスポット的に行うようにしたクリスマスツリーを提供する。【解決手段】幹部２と、これの元部から頂部までの周りに放射状に張り出した、一定の間隔で幅方向の切込みを入れて葉部となしたテープを芯材に螺旋状に巻き付けて形成した枝部３とをもって全体として円錐形状になしてツリー本体１とする。ツリー本体１を箱形の支持台４の頂部中央に支持させる。支持台４内には、光源と、透明区域と不透明区域とが混在するよう形成し、光源の上方において回転する回転盤とからなる発光装置を設ける。ツリー本体１の幹部の元部に基部側を位置せしめた光ファイバー９を、所要数束ねるか一本づつ独立させて枝部３に沿って配置する。【選択図】図１
0003177978.tif 000002
【実用新案登録請求の範囲】
【請求項１】
幹部と、これの元部から頂部までの周りに放射状に張り出した、一定の間隔で幅方向の切込みを入れて葉部となしたテープを芯材に螺旋状に巻き付けて形成した枝部とをもって全体として円錐形状になしたツリー本体を、光源と、透明区域と不透明区域とが混在するよう形成し、前記光源の上方における光源の中心から外方にずれた位置において回転駆動装置によって一定速度で回転せしめられる回転盤とからなる発光装置を内蔵した箱形の支持台の頂部中央に支持せしめ、前記ツリー本体における幹部の元部に基部側を位置せしめた光ファイバーを、その先端側をツリー本体における枝部に導き、前記光源からの光を該光ファイバーの先端部から外部に放出するようになしたクリスマスツリーにおいて、
前記光ファイバーを、所要数を束ねて枝部の先端まで導き、先端部を同一の長さに揃えて全部を一塊に結合してなるものと、所要数を束ねて枝部の先端まで導き、先端部を同一又は不揃いの長さにして分散させてなるものと、長さが異なり、各枝部の周囲に、これに沿って張り出すようにした一本一本が独立のものとをもって構成したことを特徴とするクリスマスツリー。
【請求項２】
光源が、ＬＥＤ光源である請求項１記載のクリスマスツリー。
【考案の詳細な説明】
【技術分野】
【０００１】
本考案は、ツリー本体の枝部において光ファイバーによる光が点滅するようになした模造のクリスマスツリーに関するものである。
【背景技術】
【０００２】
ツリー本体の枝部において光ファイバーによる光が点滅するようになした模造のクリスマスツリーは、従来種々のものが案出され、市場にも出回っている。
【０００３】
そして、従来におけるそれらのクリスマスツリーの一つとして次の如きものがある。それは、幹部と、これの元部から頂部までの周りに放射状に張り出した、一定の間隔で幅方向の切込みを入れて葉部となしたテープを芯材に螺旋状に巻き付けて形成した枝部とをもって全体として円錐形状になしたツリー本体を、光源と、透明区域と不透明区域とが混在するよう形成し、前記光源の上方における光源の中心から外方にずれた位置において回転駆動装置によって一定速度で回転せしめられる回転盤とからなる発光装置を内蔵した箱形の支持台の頂部中央に支持せしめ、前記ツリー本体における幹部の元部に基部側を位置せしめた光ファイバーを、その先端側をツリー本体における枝部に導き、前記光源からの光を該光ファイバーの先端部から外部に放出するようになしたクリスマスツリーである。
【考案の概要】
【考案が解決しようとする課題】
【０００４】
斯かる従来のクリスマスツリーは、光ファイバーによる光の点滅によってツリー本体を加飾するものであるが、この光ファイバーによる光の点滅は、ツリー本体の各枝部の先端でしか行われない。即ち、ツリー本体の外周部分でしか光による加飾は行われない。且つまた、点滅する光も疎らであり、立体感や華やかさに欠けるという問題点があった。
【０００５】
本考案は上記の点に鑑みなされたものであって、光ファイバーによる光の点滅を、ツリー本体の外周部分のみならず、幹から放射状に張り出す各枝部において、その先端から元部までの間で満遍無くスポット的に行うようになして奥行きを持たせ、且つまた各枝部の先端において光る光を、束ねた光ファイバーの光の集合による大きな点状の光となし、更には各枝部の先端において光る光を、恰も花火の如く散らばらせ、もって立体感と、光の数や間隔、配置において一層の華やかさを持たせることができるようになしたクリスマスツリーを提供しようとするものである。
【課題を解決するための手段】
【０００６】
而して、本考案の要旨とするところは、幹部と、これの元部から頂部までの周りに放射状に張り出した、一定の間隔で幅方向の切込みを入れて葉部となしたテープを芯材に螺旋状に巻き付けて形成した枝部とをもって全体として円錐形状になしたツリー本体を、光源と、透明区域と不透明区域とが混在するよう形成し、前記光源の上方における光源の中心から外方にずれた位置において回転駆動装置によって一定速度で回転せしめられる回転盤とからなる発光装置を内蔵した箱形の支持台の頂部中央に支持せしめ、前記ツリー本体における幹部の元部に基部側を位置せしめた光ファイバーを、その先端側をツリー本体における枝部に導き、前記光源からの光を該光ファイバーの先端部から外部に放出するようになしたクリスマスツリーにおいて、
前記光ファイバーを、所要数を束ねて枝部の先端まで導き、先端部を同一の長さに揃えて全部を一塊に結合してなるものと、所要数を束ねて枝部の先端まで導き、先端部を同一又は不揃いの長さにして分散させてなるものと、長さが異なり、各枝部の周囲に、これに沿って張り出すようにした一本一本が独立のものとをもって構成したことを特徴とするクリスマスツリーにある。
【０００７】
また、上記構成において、光源としてはＬＥＤ光源とすることが好ましい。
【考案の効果】
【０００８】
本考案は上記の如き構成であり、光源からの光を枝部において点滅させる光ファイバーを、所要数を束ねて枝部の先端まで導き、先端部を同一の長さに揃えて全部を一塊に結合してなるものと、所要数を束ねて枝部の先端まで導き、先端部を同一又は不揃いの長さにして分散させてなるものと、長さが異なり、各枝部の周囲に、これに沿って張り出すようにした一本一本が独立のものとをもって構成したものである。
【０００９】
而して、上記所要数を束ねて枝部の先端まで導き、先端部を同一の長さに揃えて全部を一塊に結合してなるものは、ツリー本体の外周部分で光るものであって、束ねた光ファイバーの光の集合による大きな点状の光となり、また、所要数を束ねて枝部の先端まで導き、先端部を同一又は不揃いの長さに分散させてなるものは、同じくツリー本体の外周部分で光るものであって、各光ファイバーの小さな光が恰も花火の如く散らばって光るものである。また、長さが異なり、各枝部の周囲に、これに沿って張り出すようにした一本一本が独立のものにあっては、これらが各枝部において、その先端から元部までの間で満遍無くスポット的に光を点滅させるものであり、ツリー本体の全体に奥行き感を持たせることができるものである。以上の構成をもって、ツリー全体に立体感と、光の数や間隔、配置において一層の華やかさを持たせることができるものである。
【００１０】
また、光源としてＬＥＤ光源を用いれば、ハロゲンランプ等より消費電力や発熱量を小さくすることができる。
【図面の簡単な説明】
【００１１】
【図１】本考案の実施形態に係るクリスマスツリーの正面図である。
【図２】ツリー本体の下部と支持台の縦断面図である。
【図３】回転盤の平面図である。
【図４】芯材に巻き付けて枝部を形成するテープの部分平面図である。
【図５】束ねて先端部を一塊にした光ファイバーの一形態の説明図である。
【図６】束ねて先端部を分散させた光ファイバーの一形態の説明図である。
【図７】長さを違えて各枝部の周囲に張り出させた光ファイバーの一形態の説明図である。
【考案を実施するための形態】
【００１２】
以下、本考案を実施するための形態について、図面を参照して説明する。
【００１３】
図中、１はクリスマスツリーのツリー本体である。また、該ツリー本体１は、幹部２と、これの元部から頂部までの周りに放射状に張り出した、一定の間隔で幅方向の切込みを入れて葉部となしたテープを芯材に螺旋状に巻き付けて形成した枝部３とをもって全体として円錐形状になしたものである。尚、前記幹部２は、中心部に芯材２ａを有し、これを取り巻くように後記光ファイバーを配している。そして、該幹部２は、その元部を後記光ファイバーの基部側と揃えてフランジ付きの連結筒２Ａに嵌合している。また、枝部３は、図４に示す如き一定の間隔で幅方向の切込み３′、３′、３′・・・を入れて葉部３ａとなしたテープ３Ａを、図５〜図７に示す如く、芯材３Ｂに螺旋状に巻き付けて形成されるものである。
【００１４】
４は前記ツリー本体１を支持する箱形の支持台である。また、該支持台４は、その頂部中央に筒状嵌合部４Ａを設けており、該筒状嵌合部４Ａ内に前記連結筒２Ａを挿入して嵌合させるものである。また、該支持台４の頂部と底部には通気孔４ａを設けている。
【００１５】
５は前記支持台４内に設けた発光装置である。また、該発光装置５は、前記支持台４内の中心部に配置したＬＥＤ光源６と、図３に示す如き透明区域７ａと不透明区域７ｂとが混在するように形成した回転盤７とからなるものである。また、該回転盤７は、前記ＬＥＤ光源６の上方におけるＬＥＤ光源６の中心から外方にずれた位置において回転駆動装置、本実施形態においてはモータ８によって一定速度で回転せしめられるものである。
【００１６】
９、９、９・・・は前記光源６からの光をツリー本体１の枝部３に導いて点滅させる光ファイバーである。また、該光ファイバー９、９、９・・・は、次の三つの形態に構成されてツリー本体１に実施されるものである。
【００１７】
第１の形態は、図５に示す如く、所要数、好ましくは３０〜６０本の光ファイバー９を束ねて枝部３の先端まで導き、先端部を同一の長さに揃えて全部を一塊に結合してなるものである。尚、この場合には、光ファイバー９の束を芯材３Ｂに沿わせ、この状態でテープ３Ａで巻き付けるものである。斯かる場合においてはツリー本体１の外周部分で光り、そしてその光は、束ねた光ファイバー９の光の集合による大きな点状の光となるものである。
【００１８】
また、第２の形態は、図６に示す如く、所要数、好ましくは３０〜４０本の光ファイバー９を束ねて枝部３の先端まで導き、先端部を同一又は不揃いの長さにして分散させてなるものである。尚、この場合にも、光ファイバー９の束を芯材３Ｂに沿わせ、この状態でテープ３Ａで巻き付けるものである。斯かる場合においても、ツリー本体１の外周部分で光り、そして各光ファイバー９の小さな光が恰も花火の如く散らばって光るものである。また、図６においては各光ファイバー９の分散した部分を透明な球状カプセル１０で包んでいる。
【００１９】
また、第３の形態は、図７に示す如く、光ファイバー９の一本一本は分離独立しており、それらは長さが異なり、各枝部３の周囲に、これに沿って張り出すようにしたものである。斯かる場合においては、長さが異なる複数の光ファイバー９の夫々が、各枝部３において、その先端から元部までの間で満遍無くスポット的に光を点滅させることになるものであり、ツリー本体１の全体に奥行き感を持たせることができるものである。
【００２０】
本実施形態に係るクリスマスツリーによれば、上記光ファイバー９の三つの形態を実施することにより、ツリー全体に立体感と、光の数や間隔、配置において一層の華やかさを持たせることができるものである。
【符号の説明】
【００２１】
１  ツリー本体
２  幹部
３  枝部
３Ａ  テープ
３Ｂ  芯材
４  支持台
５  発光装置
６  ＬＥＤ光源
７  回転盤
８  モータ
９、９、９  光ファイバー
【図１】
0003177978.tif 000003
【図２】
0003177978.tif 000004
【図３】
0003177978.tif 000005
【図４】
0003177978.tif 000006
【図５】
0003177978.tif 000007
【図６】
0003177978.tif 000008
【図７】
0003177978.tif 000009